(57)【要約】【課題】ユーザが宅外のマルチメディア装置を利用する場合であっても、自宅での過去の履歴情報を用いて利便性の高いサービスを享受する。【解決手段】特定ユーザの利用履歴情報が蓄積されていないＴＶ７から、特定ユーザの利用履歴情報が蓄積されているＴＶ１、ＰＣ２、ＨＤＤレコーダ３にアクセスするためのアクセス情報を含むサービスリクエストを受信するサービスリクエスト受信部２１と、アクセス情報を用いて、ＴＶ１、ＰＣ２、ＨＤＤレコーダ３にアクセスし、特定ユーザの利用履歴情報を取得するユーザ情報取得部２４と、取得した特定ユーザの利用履歴情報および前記サービスリクエストに関連する情報を取得し、サービスリクエストに対する応答情報を生成する応答生成部２６と、生成された応答情報をＴＶ７に送信するサービス応答送信部２７と、を備える。【選択図】図２Ａ
2010086289.tif 000002
【特許請求の範囲】
【請求項１】
文字データ、画像データまたは音声データの少なくとも一つを含むマルチメディアデータを記録または再生するマルチメディア装置の利用履歴情報に基づいて、前記利用履歴情報と関連する少なくとも一つのサービスを推奨する情報を提供するサービス情報提供装置であって、
特定ユーザの利用履歴情報が蓄積されていない第１のマルチメディア装置から、特定ユーザの利用履歴情報が蓄積されている少なくとも一つの第２のマルチメディア装置にアクセスするためのアクセス情報を含むサービスリクエストを受信するサービスリクエスト受信部と、
前記アクセス情報を用いて、前記第２のマルチメディア装置にアクセスし、特定ユーザの利用履歴情報を取得するユーザ情報取得部と、
前記取得した特定ユーザの利用履歴情報および前記サービスリクエストに関連する情報を取得し、前記サービスリクエストに対する応答情報を生成する応答情報生成部と、
前記生成された応答情報を前記第１のマルチメディア装置に送信する応答情報送信部と、を備えることを特徴とするサービス情報提供装置。
【請求項２】
前記応答情報送信部は、前記第１のマルチメディア装置に対して前記アクセス情報を含むサービスリクエストを行なった携帯端末装置に対して、前記第１のマルチメディア装置での利用履歴情報を送信することを特徴とする請求項１記載のサービス情報提供装置。
【請求項３】
前記アクセス情報は、前記特定ユーザの利用履歴情報を前記第２のマルチメディア装置毎に取得するためのアドレスを指定する情報を含むことを特徴とする請求項１または請求項２記載のサービス情報提供装置。
【請求項４】
前記アクセス情報は、前記特定ユーザの履歴情報を取得するために必要な認証情報を含むことを特徴とする請求項３記載のサービス情報提供装置。
【請求項５】
請求項１記載のサービス情報提供装置が、特定ユーザの利用履歴情報が蓄積されている少なくとも一つの前記第２のマルチメディア装置にアクセスするためのアクセス情報を、前記第２のマルチメディア装置から取得するアクセス情報取得部と、
前記取得したアクセス情報を蓄積するアクセス情報蓄積部と、
特定ユーザの利用履歴情報が蓄積されていない前記第１のマルチメディア装置に対して、前記アクセス情報を含むサービスリクエストを送信するサービスリクエスト送信部と、を備えることを特徴とする携帯端末装置。
【請求項６】
前記アクセス情報蓄積部は、前記第１のマルチメディア装置を利用した利用履歴情報を蓄積することを特徴とする請求項５記載の携帯端末装置。
【請求項７】
前記アクセス情報は、前記第２のマルチメディア装置から前記特定ユーザの履歴情報を取得するために必要な認証情報を含むことを特徴とする請求項５または請求項６のいずれかに記載の携帯端末装置。
【請求項８】
前記サービスリクエストを送信後、前記第２のマルチメディア装置から、更新したアクセス情報を受信し、保持するアクセス情報を更新することを特徴とする請求項７記載の携帯端末装置。
【請求項９】
前記アクセス情報は、取得可能な情報の範囲を限定する情報を含むことを特徴とする請求項５から請求項８のいずれかに記載の携帯端末装置。
【請求項１０】
前記アクセス情報は、取得可能な情報の種類ごとに認証情報を設定可能であることを特徴とする請求項９記載の携帯端末装置。
【請求項１１】
ホームネットワークに接続され、文字データ、画像データまたは音声データの少なくとも一つを含むマルチメディアデータを記録または再生するマルチメディア装置であって、
特定ユーザの利用履歴情報および外部装置からのアクセスを許可するためのアクセス情報を記録する記録部と、
請求項５記載の携帯端末装置からの要求に応じて前記アクセス情報を前記携帯端末装置へ出力する一方、請求項１記載のサービス情報提供装置から、前記アクセス情報に基づいた特定ユーザの利用履歴情報の取得要求があったときに、前記記録部に記録している特定ユーザの利用履歴情報を前記サービス情報提供装置へ出力する出力部と、を備えることを特徴とするマルチメディア装置。
【請求項１２】
ホームネットワークに接続されている他の第２のマルチメディア装置に蓄積されている特定ユーザの利用履歴情報を収集し、請求項１記載のサービス情報提供装置から、前記アクセス情報に基づいて、他の第２のマルチメディア装置に蓄積されている特定ユーザの利用履歴情報の取得要求があったときに、前記収集した他の第２のマルチメディア装置に蓄積されている特定ユーザの利用履歴情報を前記サービス情報提供装置へ出力することを特徴とする請求項１１記載のマルチメディア装置。
【請求項１３】
前記サービス情報提供装置へ前記アクセス情報に基づいて情報を提供した後、アクセス情報を更新し、更新したアクセス情報を前記携帯端末装置に送信することを特徴とする請求項１１記載のマルチメディア装置。
【請求項１４】
請求項５記載の携帯端末装置から前記アクセス情報を含む情報取得リクエストを受信し、前記受信した情報取得リクエストに基づいて、請求項１記載のサービス情報提供装置へ前記アクセス情報に含まれる情報を用いて、前記第２のマルチメディア装置が保有する情報を利用したサービスをリクエストする一方、前記サービス情報提供装置から前記サービスリクエストに対する応答情報を受信する送受信部を備え、
ユーザの選択に応じて前記応答情報に基づいたサービスを提供することを特徴とするマルチメディア装置。
【請求項１５】
前記送受信部は、前記応答情報に基づいたサービスを提供したことを示す履歴情報を請求項５記載の携帯端末装置へ送信することを特徴とする請求項１４記載のマルチメディア装置。
【請求項１６】
特定ユーザの利用履歴情報を蓄積し、前記蓄積した特定ユーザの利用履歴情報の全部、若しくは指定する一部を通信により提供する少なくとも一つの第２のマルチメディア装置と、
通信によりサービスリクエストを行なって、サービスを受けることが可能な第１のマルチメディア装置と、
前記第２のマルチメディア装置が蓄積する特定ユーザの利用履歴情報にアクセスするためのアクセス情報を、前記第２のマルチメディア装置から取得し、取得した前記アクセス情報を、前記第１のマルチメディア装置に提供する携帯端末装置と、
前記第１のマルチメディア装置から、前記第２のマルチメディア装置のアクセス情報を含む前記サービスリクエストを受信し、前記サービスリクエストを用いて前記第２のマルチメディア装置から取得した前記特定ユーザの利用履歴情報を用いて生成したサービス情報を、前記第１のマルチメディア装置に提供するサービス情報提供装置と、から構成されることを特徴とするサービス提供システム。
【発明の詳細な説明】
【技術分野】
【０００１】
本発明は、マルチメディア装置の利用履歴情報に基づいて、利用履歴情報と関連する少なくとも一つのサービスを推奨する情報を提供する技術に関する。
【背景技術】
【０００２】
近年、家庭へのインターネット常時接続環境の普及に伴って、家庭内でのネットワーク化が進んでいる。また、多くのマルチメディア機器や家電機器がネットワーク通信機能を搭載するようになっている。このような状況では、例えば、ＰＣ（Personal Computer）を用いてディジタルコンテンツのみならず、書籍、ＣＤ（Compact Disk）などの物品をインターネットショッピングすることが日常的となっている。また、ネットワークコンテンツ配信サービスの普及に伴って、テレビジョン受像機やハードディスクレコーダなどのマルチメディア装置においても、ネットワーク化が進んでいる。さらに、遠隔制御技術の開発に伴って、ネットワーク通信機能を搭載したエアコンや冷蔵庫などの家電機器が増加している。そして、これらの種々の装置が、ネットワークに接続され、それらの装置に向けた多種多様なインターネットサービスが提供されている。
【０００３】
このような状況の下では、各装置にはユーザの利用履歴が蓄積され、インターネットサービスの提供に反映されるようになっている。すなわち、ユーザの利用履歴に基づいて、各ユーザに適した情報やサービスを抽出し、ユーザ毎に推奨する情報を提供することが行なわれている。そのため、ユーザが日常的に利用する各装置には、ディジタルコンテンツの視聴履歴、インターネットショッピングでの購買履歴、使用している装置のデータ、または各ユーザの生活リズムなどの利用履歴を初めとした多くのユーザ情報が蓄積されている。
【０００４】
特許文献１には、家庭内のホームサーバに蓄積された情報を、公衆網を介して外出先から利用するための技術が開示されている。この技術では、サーバ装置が、このサーバ装置に接続するために必要な第１のパスワードを生成して、それを第２の記憶手段に記憶し、第１のパスワードとサーバ装置のアドレス情報を携帯端末へ送信する。この携帯端末を介して、アドレス情報と第２のパスワードを受け取った情報利用装置が、サーバ装置へ送信した第２のパスワードと第２の記憶手段に記憶されている第１のパスワードとが一致する場合は、サーバ装置は情報利用装置に接続する。一方、情報利用装置から送信された第２のパスワードと第２の記憶手段に記憶されている第１のパスワードとが一致しない場合は、サーバ装置は情報利用装置からの接続を拒否する。
【０００５】
特許文献２に開示されている制御システムは、携帯端末と情報処理装置により構成されている。情報処理装置は、携帯端末を用いてリモートコントロール操作が可能である。情報処理装置は、携帯端末から送信された制御情報および携帯端末の固有情報を受信し、複数のデータを記録媒体に記録し、この記録媒体に記録されたデータを再生する。また、複数の携帯端末の固有情報と、複数のデータ毎の再生履歴情報とを関連づけた履歴データをメモリに記憶する。そして、情報処理装置は、携帯端末から、複数のデータの中の１つの再生を要求する制御情報および固有情報を受信したとき、履歴データから固有情報に対応した再生履歴情報を読み出し、再生履歴情報に応じてデータの再生を行なう。
【特許文献１】特開２００４−３４８２３６号公報
【特許文献２】特開２００６−３１１１６５号公報
【発明の開示】
【発明が解決しようとする課題】
【０００６】
しかしながら、サービスを提供するサーバ装置が複数存在する場合、従来の技術では、サーバ装置間で情報を共有することは提案されていないため、ユーザの利用履歴情報を蓄積したとしても、この情報をサーバ装置が共用することは困難である。特に、インターネットサービスでは、事業者が異なると情報の連携は困難である。例えば、ユーザが、ある事業者の提供するサービスを利用した場合、その履歴情報を他の事業者が提供するサービスで利用することはできない。さらに、ユーザが、ホテルなどの宅外の施設でマルチメディア装置を利用した場合の履歴情報は、自宅での装置で利用することはできない状況となっている。
【０００７】
本発明は、このような事情に鑑みてなされたものであり、ユーザが宅外のマルチメディア装置を利用する場合であっても、自宅での過去の履歴情報を用いて利便性の高いサービスを享受することができるサービス情報提供装置、携帯端末装置およびマルチメディア装置を提供することを目的とする。
【課題を解決するための手段】
【０００８】
（１）上記の目的を達成するために、本発明は、以下のような手段を講じた。すなわち、本発明のサービス情報提供装置は、文字データ、画像データまたは音声データの少なくとも一つを含むマルチメディアデータを記録または再生するマルチメディア装置の利用履歴情報に基づいて、前記利用履歴情報と関連する少なくとも一つのサービスを推奨する情報を提供するサービス情報提供装置であって、特定ユーザの利用履歴情報が蓄積されていない第１のマルチメディア装置から、特定ユーザの利用履歴情報が蓄積されている少なくとも一つの第２のマルチメディア装置にアクセスするためのアクセス情報を含むサービスリクエストを受信するサービスリクエスト受信部と、前記アクセス情報を用いて、前記第２のマルチメディア装置にアクセスし、特定ユーザの利用履歴情報を取得するユーザ情報取得部と、前記取得した特定ユーザの利用履歴情報および前記サービスリクエストに関連する情報を取得し、前記サービスリクエストに対する応答情報を生成する応答情報生成部と、前記生成された応答情報を前記第１のマルチメディア装置に送信する応答情報送信部と、を備えることを特徴としている。
【０００９】
このように、アクセス情報を用いて、第２のマルチメディア装置にアクセスし、特定ユーザの利用履歴情報を取得し、取得した特定ユーザの利用履歴情報およびサービスリクエストに関連する情報を取得し、サービスリクエストに対する応答情報を生成し、生成された応答情報を第１のマルチメディア装置に送信するので、第１のマルチメディア装置において、ユーザの利用履歴情報に基づいたサービスを推奨することが可能となる。これにより、例えば、ユーザの自宅にあるＴＶ、ＰＣまたはＨＤＤレコーダなどで蓄積された利用履歴を用いて、ユーザの宅外にあるＴＶ等で、自宅と同じように利便性の高いサービスを提供することが可能となる。
【００１０】
（２）また、本発明のサービス情報提供装置において、前記応答情報送信部は、前記第１のマルチメディア装置に対して前記アクセス情報を含むサービスリクエストを行なった携帯端末装置に対して、前記第１のマルチメディア装置での利用履歴情報を送信することを特徴としている。
【００１１】
このように、第１のマルチメディア装置に対して前記アクセス情報を含むサービスリクエストを行なった携帯端末装置に対して、第１のマルチメディア装置での利用履歴情報を送信するので、携帯端末装置において第１のマルチメディア装置での利用履歴情報を蓄積することが可能となる。例えば、ユーザの宅外にあるＴＶ等でサービスを利用した場合、ユーザの自宅にあるマルチメディア装置では利用履歴情報を蓄積することはできないが、携帯端末装置において、これを蓄積することができる。これにより、宅外にある装置を利用した場合でも、利用履歴として、次にサービスを受ける際に利用することが可能となる。
【００１２】
（３）また、本発明のサービス情報提供装置において、前記アクセス情報は、前記特定ユーザの利用履歴情報を前記第２のマルチメディア装置毎に取得するためのアドレスを指定する情報を含むことを特徴としている。
【００１３】
この構成により、特定ユーザの利用履歴情報を前記第２のマルチメディア装置毎に取得するためのアドレスを指定することができる。
【００１４】
（４）また、本発明のサービス情報提供装置において、前記アクセス情報は、前記特定ユーザの履歴情報を取得するために必要な認証情報を含むことを特徴としている。
【００１５】
このように、アクセス情報は、前記特定ユーザの履歴情報を取得するために必要な認証情報を含むので、情報のセキュリティを確保することができる。
【００１６】
（５）また、本発明の携帯端末装置は、上記サービス情報提供装置が、特定ユーザの利用履歴情報が蓄積されている少なくとも一つの前記第２のマルチメディア装置にアクセスするためのアクセス情報を、前記第２のマルチメディア装置から取得するアクセス情報取得部と、前記取得したアクセス情報を蓄積するアクセス情報蓄積部と、特定ユーザの利用履歴情報が蓄積されていない前記第１のマルチメディア装置に対して、前記アクセス情報を含むサービスリクエストを送信するサービスリクエスト送信部と、を備えることを特徴としている。
【００１７】
このように、特定ユーザの利用履歴情報が蓄積されている少なくとも一つの第２のマルチメディア装置にアクセスするためのアクセス情報を、第２のマルチメディア装置から取得し、取得したアクセス情報を蓄積するので、ユーザは、自宅における利用履歴情報を持ち歩くことができる。そして、特定ユーザの利用履歴情報が蓄積されていない第１のマルチメディア装置に対して、アクセス情報を含むサービスリクエストを送信するので、自宅のみならず、宅外においても、自宅と同じように利用履歴情報に基づいた利便性の高いサービスを受けることが可能となる。
【００１８】
（６）また、本発明の携帯端末装置において、前記アクセス情報蓄積部は、前記第１のマルチメディア装置を利用した利用履歴情報を蓄積することを特徴としている。
【００１９】
このように、第１のマルチメディア装置を利用した利用履歴情報を蓄積するので、携帯端末装置において第１のマルチメディア装置での利用履歴情報を蓄積することが可能となる。例えば、ユーザの宅外にあるＴＶ等でサービスを利用した場合、ユーザの自宅にあるマルチメディア装置では利用履歴情報を蓄積することはできないが、携帯端末装置において、これを蓄積することができる。これにより、宅外にある装置を利用した場合でも、利用履歴として、次にサービスを受ける際に利用することが可能となる。
【００２０】
（７）また、本発明の携帯端末装置において、前記アクセス情報は、前記第２のマルチメディア装置から前記特定ユーザの履歴情報を取得するために必要な認証情報を含むことを特徴としている。
【００２１】
このように、アクセス情報は、前記第２のマルチメディア装置から前記特定ユーザの履歴情報を取得するために必要な認証情報を含むので、情報のセキュリティを確保することが可能となる。
【００２２】
（８）また、本発明の携帯端末装置は、前記サービスリクエストを送信後、前記第２のマルチメディア装置から、更新したアクセス情報を受信し、保持するアクセス情報を更新することを特徴としている。
【００２３】
このように、サービスリクエストを送信後、前記第２のマルチメディア装置から、更新したアクセス情報を受信し、保持するアクセス情報を更新するので、本発明が提供するサービスを利用するたびに、また、ユーザが変更したいタイミングで、第２のマルチメディア装置からからサービス情報提供装置に提供する情報をコントロールすることが可能になる。
【００２４】
（９）また、本発明の携帯端末装置において、前記アクセス情報は、取得可能な情報の範囲を限定する情報を含むことを特徴としている。
【００２５】
この構成により、第２のマルチメディア装置からからサービス情報提供装置に提供する情報をコントロールすることが可能になる。
【００２６】
（１０）また、本発明の携帯端末装置において、前記アクセス情報は、取得可能な情報の種類ごとに認証情報を設定可能であることを特徴としている。
【００２７】
このように、アクセス情報は、取得可能な情報の種類ごとに認証情報を設定可能であるので、情報のセキュリティを高めると共に、第２のマルチメディア装置からからサービス情報提供装置に提供する情報をコントロールすることが可能になる。
【００２８】
（１１）また、本発明のマルチメディア装置は、ホームネットワークに接続され、文字データ、画像データまたは音声データの少なくとも一つを含むマルチメディアデータを記録または再生するマルチメディア装置であって、特定ユーザの利用履歴情報および外部装置からのアクセスを許可するためのアクセス情報を記録する記録部と、上記携帯端末装置からの要求に応じて前記アクセス情報を前記携帯端末装置へ出力する一方、上記サービス情報提供装置から、前記アクセス情報に基づいた特定ユーザの利用履歴情報の取得要求があったときに、前記記録部に記録している特定ユーザの利用履歴情報を前記サービス情報提供装置へ出力する出力部と、を備えることを特徴としている。
【００２９】
このように、サービス情報提供装置から、アクセス情報に基づいた特定ユーザの利用履歴情報の取得要求があったときに、記録している特定ユーザの利用履歴情報をサービス情報提供装置へ出力するので、ユーザの利用履歴情報に基づいたサービスを推奨することが可能となる。これにより、例えば、ユーザの自宅にあるＴＶ、ＰＣまたはＨＤＤレコーダなどで蓄積された利用履歴を用いて、ユーザの宅外にあるＴＶ等で、自宅と同じように利便性の高いサービスを提供することが可能となる。
【００３０】
（１２）また、本発明のマルチメディア装置は、ホームネットワークに接続されている他の第２のマルチメディア装置に蓄積されている特定ユーザの利用履歴情報を収集し、上記サービス情報提供装置から、前記アクセス情報に基づいて、他の第２のマルチメディア装置に蓄積されている特定ユーザの利用履歴情報の取得要求があったときに、前記収集した他の第２のマルチメディア装置に蓄積されている特定ユーザの利用履歴情報を前記サービス情報提供装置へ出力することを特徴としている。
【００３１】
このように、収集した他の第２のマルチメディア装置に蓄積されている特定ユーザの利用履歴情報を前記サービス情報提供装置へ出力するので、従来から存在するマルチメディア装置に改変を加えることなく、本発明が提供するサービスを受けることが可能となる。
【００３２】
（１３）また、本発明のマルチメディア装置は、前記サービス情報提供装置へ前記アクセス情報に基づいて情報を提供した後、アクセス情報を更新し、更新したアクセス情報を前記携帯端末装置に送信することを特徴としている。
【００３３】
このように、前記サービス情報提供装置へ前記アクセス情報に基づいて情報を提供した後、アクセス情報を更新し、更新したアクセス情報を携帯端末装置に送信するので、携帯端末装置において、第２のマルチメディア装置からからサービス情報提供装置に提供する情報をコントロールすることが可能になる。
【００３４】
（１４）また、本発明のマルチメディア装置において、上記携帯端末装置から前記アクセス情報を含む情報取得リクエストを受信し、前記受信した情報取得リクエストに基づいて、上記サービス情報提供装置へ前記アクセス情報に含まれる情報を用いて、前記第２のマルチメディア装置が保有する情報を利用したサービスをリクエストする一方、前記サービス情報提供装置から前記サービスリクエストに対する応答情報を受信する送受信部を備え、ユーザの選択に応じて前記応答情報に基づいたサービスを提供することを特徴としている。
【００３５】
このように、携帯端末装置から前記アクセス情報を含む情報取得リクエストを受信し、前記受信した情報取得リクエストに基づいて、上記サービス情報提供装置へ前記アクセス情報に含まれる情報を用いて、前記第２のマルチメディア装置が保有する情報を利用したサービスをリクエストする一方、前記サービス情報提供装置から前記サービスリクエストに対する応答情報を受信し、ユーザの選択に応じて前記応答情報に基づいたサービスを提供するので、ユーザの利用履歴情報に基づいたサービスを推奨することが可能となる。これにより、例えば、ユーザの自宅にあるＴＶ、ＰＣまたはＨＤＤレコーダなどで蓄積された利用履歴を用いて、ユーザの宅外にあるＴＶ等で、自宅と同じように利便性の高いサービスを提供することが可能となる。
【００３６】
（１５）また、本発明のマルチメディア装置において、前記送受信部は、前記応答情報に基づいたサービスを提供したことを示す履歴情報を上記携帯端末装置へ送信することを特徴としている。
【００３７】
このように、応答情報に基づいたサービスを提供したことを示す履歴情報を携帯端末装置へ送信するので、携帯端末装置においてマルチメディア装置での利用履歴情報を蓄積することが可能となる。例えば、ユーザの宅外にあるＴＶ等でサービスを利用した場合、ユーザの自宅にあるマルチメディア装置では利用履歴情報を蓄積することはできないが、携帯端末装置において、これを蓄積することができる。これにより、宅外にある装置を利用した場合でも、利用履歴として、次にサービスを受ける際に利用することが可能となる。
【００３８】
（１６）また、本発明のサービス提供システムは、特定ユーザの利用履歴情報を蓄積し、前記蓄積した特定ユーザの利用履歴情報の全部、若しくは指定する一部を通信により提供する少なくとも一つの第２のマルチメディア装置と、通信によりサービスリクエストを行なって、サービスを受けることが可能な第１のマルチメディア装置と、前記第２のマルチメディア装置が蓄積する特定ユーザの利用履歴情報にアクセスするためのアクセス情報を、前記第２のマルチメディア装置から取得し、取得した前記アクセス情報を、前記第１のマルチメディア装置に提供する携帯端末装置と、前記第１のマルチメディア装置から、前記第２のマルチメディア装置のアクセス情報を含む前記サービスリクエストを受信し、前記サービスリクエストを用いて前記第２のマルチメディア装置から取得した前記特定ユーザの利用履歴情報を用いて生成したサービス情報を、前記第１のマルチメディア装置に提供するサービス情報提供装置と、から構成されることを特徴としている。
【００３９】
このように、アクセス情報を用いて、第２のマルチメディア装置にアクセスし、特定ユーザの利用履歴情報を取得し、取得した特定ユーザの利用履歴情報およびサービスリクエストに関連する情報を取得し、サービスリクエストに対する応答情報を生成し、生成された応答情報を第１のマルチメディア装置に送信するので、第１のマルチメディア装置において、ユーザの利用履歴情報に基づいたサービスを推奨することが可能となる。これにより、例えば、ユーザの自宅にあるＴＶ、ＰＣまたはＨＤＤレコーダなどで蓄積された利用履歴を用いて、ユーザの宅外にあるＴＶ等で、自宅と同じように利便性の高いサービスを提供することが可能となる。
【発明の効果】
【００４０】
本発明によれば、アクセス情報を用いて、第２のマルチメディア装置にアクセスし、特定ユーザの利用履歴情報を取得し、取得した特定ユーザの利用履歴情報およびサービスリクエストに関連する情報を取得し、サービスリクエストに対する応答情報を生成し、生成された応答情報を第１のマルチメディア装置に送信するので、第１のマルチメディア装置において、ユーザの利用履歴情報に基づいたサービスを推奨することが可能となる。これにより、例えば、ユーザの自宅にあるＴＶ、ＰＣまたはＨＤＤレコーダなどで蓄積された利用履歴を用いて、ユーザの宅外にあるＴＶ等で、自宅と同じように利便性の高いサービスを提供することが可能となる。
【発明を実施するための最良の形態】
【００４１】
次に、本発明に係る実施形態について、図面を参照しながら説明する。図１は、本実施形態に係るサービス提供システムの概略構成を示す図である。本実施形態において、マルチメディア装置とは、文字データ、画像データまたは音声データの少なくとも一つを含むマルチメディアデータを記録または再生する機能を有する装置のことを意味する。ユーザＡは、自宅ａ内に、複数のマルチメディア装置を有する。例えば、ＴＶ１は、ネットワークに接続可能なテレビジョン受像機である。ＴＶ１により、テレビ放送の視聴のほか、ＴＶ向けビデオサービス１４を受けることが可能である。ＰＣ２は、パーソナルコンピュータであり、物販サービス１１やＰＣ向けビデオサービス１２を利用することが可能である。
【００４２】
ＨＤＤ（Hard Disk Drive）レコーダ３は、ホームサーバ機能を搭載したレコーダであり、録画可能なＴＶ向けビデオサービス１３を利用することができる。また、ＨＤＤレコーダ３は、ＤＬＮＡ（Digital Living Network Alliance）プロトコルに準拠して、ホームネットワーク内の機器にコンテンツの視聴機能を提供する。また、録画した放送コンテンツやディジタルカメラからアップロードされたディジタル写真などを蓄積することが可能である。ＨＤＤレコーダ４は、ネットワーク通信機能を搭載せず、ＴＶ１に接続されている。本実施形態では、このＨＤＤレコーダ４のように、すべての装置がコンシェルジュサービスに応答できるように構成されている必要はない。例えば、ホームゲートウェイが、ホームネットワークを代表する第２のマルチメディア装置となり、ホームネットワークや無線や有線の通信手段により接続された機器の情報を、アクセス情報内に記載されているアドレスや取得情報に関する情報を利用して収集する。そして、一括してコンシェルジュサービスに応答するようにしても良い。ＴＶ１は、ＨＤＤレコーダ４で録画され、または内蔵するチューナで視聴されたコンテンツの情報を取得することができる。ルータ５は、ホームネットワークを構築し、ホームネットワークを制御すると共に、ホームネットワーク内の通信機能を有するマルチメディア装置と外部の通信ネットワークとを接続する。なお、ＴＶ１、ＰＣ２、ＨＤＤレコーダ３は、第２のマルチメディア装置に該当する。
【００４３】
携帯電話機６は、携帯電話通信網を介した通信が可能である。携帯電話機向けサービス１０を利用して、音楽や待ち受けディジタルデータ（画像や音楽など）をダウンロードしたり、チケット予約などの携帯電話機向けのインターネット情報サービスを利用したりすることが可能である。さらに、携帯電話機６は、赤外線通信やＢｌｕｅｔｏｏｔｈ（登録商標）などの近距離無線通信手段を用いて、ＴＶ１、ＰＣ２、ＨＤＤレコーダ３から、宅外の外部装置がそれぞれの装置にアクセスするために必要なアクセス情報を取得して、保存する。このアクセス情報は、外部装置が、各マルチメディア装置で蓄積されている情報を取得したり、録画予約設定などの装置の機能を制御したりするために必要な情報である。アクセス情報には、アクセスアドレスや認証情報が含まれる。携帯電話機６は、携帯端末装置に該当する。
【００４４】
本実施形態では、各マルチメディア装置は、ＨＴＴＰ（Hyper Text Transfer Protocol）サーバ機能を搭載しており、ＵＲＩ（Uniform Resource Identifier）形式のリクエストを受け付けて、各マルチメディア装置が有している情報や機能を用いて、外部装置が提供するサービスを受けることが可能である。本実施形態において、各マルチメディア装置は、リクエストを受け付ける際に、パスワードで認証を行なってから情報を提供する機能を発揮したりすることが望ましい。また、ユーザが利用するたびにパスワードを更新することが望ましい。携帯電話機６に更新パスワード作成機能を持たせておき、それを用いて各マルチメディア装置の更新パスワードを作成し、各マルチメディア装置に更新パスワードを送信する。これにより、ユーザが利用するたびに各マルチメディア装置でパスワードを更新することが可能となる。
【００４５】
また、図１において、ＴＶ１、ＰＣ２、ＨＤＤレコーダ３は、本実施形態が実現するコンシェルジュサービスに対応するマルチメディア装置である。これらのマルチメディア装置は、それぞれにおいて、ユーザのサービス利用履歴情報やユーザ情報を蓄積しており、コンシェルジュサービスサーバ１５に対してこれらを提供することが可能である。そのためには、コンシェルジュサービスサーバ１５は、携帯電話機６が保持および管理するアクセス情報を取得する必要がある。コンシェルジュサービスサーバ１５は、携帯電話機６から取得したアクセス情報を用いることによって、各マルチメディア装置にアクセスすることが可能となる。そして、コンシェルジュサービスサーバ１５は、各マルチメディア装置から、それぞれが蓄積している各データを取得して、これを用いてコンシェルジュとしてユーザに適した応答情報を作成する。コンシェルジュサービスサーバ１５は、サービス情報提供装置に該当する。
【００４６】
一方、図１において、ユーザＡの自宅ａの外にある友人宅ｂには、ＴＶ７がある。ＴＶ７は、ユーザＡが所持する携帯電話機６から、赤外線通信などの近距離無線通信手段によって、アクセス情報を取得する。そして、取得したアクセス情報を、サービスを受けるためのリクエスト情報に埋め込んで、コンシェルジュサービスサーバ１５に送信する。これにより、コンシェルジュサービスサーバ１５は、アクセス情報を獲得するので、ＴＶ１、ＰＣ２、ＨＤＤレコーダ３へアクセスして、各マルチメディア装置が蓄積している情報を取得することが可能となる。なお、携帯電話機６が本実施形態に係るコンシェルジュサービスに対応している場合は、コンシェルジュサービスサーバ１５が、アクセス情報に基づいて、携帯電話機６にアクセスし、携帯電話機６が保持するユーザ情報を取得することができる。これにより、コンシェルジュサービスサーバ１５は、ユーザＡが過去に利用した履歴情報を複数のマルチメディア装置から取得することができるので、ユーザＡの嗜好に即した利便性の高いサービスを提供することが可能となる。ＴＶ７は、第１のマルチメディア装置に該当する。
【００４７】
図１において、ＴＶ７は、自身で受けることができるＴＶ向けビデオサービス１６を指定することによって、コンシェルジュサービスサーバ１５が携帯電話機６の持ち主であるユーザＡのためにカスタマイズしたサービスを受けることができる。ユーザＡがＴＶ７でサービスを利用した後は、ＴＶ７から携帯電話機６に対して、赤外線通信などの近距離無線通信手段を用いて利用履歴情報を送信する。そして、携帯電話機６において、利用履歴情報として蓄積し、コンシェルジュサービスサーバ１５から要求があったときは、これを提供する。
【００４８】
図２Ａは、コンシェルジュサービスサーバ１５の概略構成を示す図である。サービスリクエスト受信部２１は、外部装置からサービス要求リクエストを受信する。本実施形態では、ＨＴＴＰプロトコルで実現しており、ＰＵＴリクエストでアクセス情報のデータをアップロードした後、その情報を指定したＧＥＴリクエストでサービスを取得するところまでをこのサービスリクエスト受信部２１が処理する。アップロードされたアクセス情報のデータは、ユーザデバイス情報蓄積部２３でファイルとして蓄積される。アクセス情報抽出部２２は、サービスリクエスト受信部２１が受信し、ＧＥＴリクエストで指定されたアクセス情報を、ユーザデバイス情報蓄積部２３から抽出する。
【００４９】
ユーザデバイス情報蓄積部２３は、サービスリクエスト受信部２１で受信したアップロードデータを記録する。ユーザ情報取得部２４は、サービスリクエスト受信部２１で受信したリクエストからアクセス情報抽出部２２が抽出したアクセス情報を用いて、各マルチメディア装置からユーザ情報を取得する。このアクセス情報には、情報を取得するための各マルチメディア装置のＵＲＩおよび認証パスワードが含まれる。ユーザ情報蓄積部２５は、ユーザ情報取得部２４が取得したユーザ情報を、サービスリクエスト受信部２１が受信したリクエスト毎に記憶して管理する。
【００５０】
応答生成部２６は、ユーザ情報蓄積部２５にリクエスト毎にすべての情報が集まった時点で、それらを用いて応答情報を生成する。この応答情報は、例えば、ＴＶ向けビデオサービス１６のように、外部のサーバ装置に対して問い合わせを行なって、ユーザに提供するサービスを取得するためのＵＲＬ（Uniform Resource Locator）を含む。ユーザが利用を希望する外部のサービスについては、サービスリクエスト受信部２１でアクセス情報のデータの一部に記述することができるものとし、それにより制限することも可能である。応答生成部２６は、応答情報生成部に該当する。
【００５１】
ＴＶ７は、自身で利用可能なサービスに制限があることを認識している場合は、その旨をアクセス情報に付加してコンシェルジュサービスサーバ１５に送信する。一方、コンシェルジュサービスサーバ１５は、このような制限が特にない場合は、すべてのサーバ装置に問い合わせて、提供可能なサービスを示す応答情報を作成する。
【００５２】
サービス応答送信部２７は、応答生成部２６が生成した応答情報を、リクエスト元のマルチメディア装置に送信する。本実施形態では、ユーザに推奨する外部サービスを、ユーザが利用するためのアドレス情報（ＵＲＩ）を含むＨＴＭＬ形式のデータを送信するものとする。サービス応答送信部２７は、応答情報送信部に該当する。
【００５３】
以上説明したようなコンシェルジュサービスサーバ１５の機能は、コンピュータがソフトウェアを実行することにより実現される。これらの機能を実装したソフトウェアは、コンピュータのＨＤＤ上に記憶され、実行時にＲＡＭ（Random Access Memory）に展開されて実行される。また、コンシェルジュサービスサーバ１５は、通信インタフェースを備え、各ソフトウェアの通信機能は、通信インタフェースを介して実現される。また、リクエストや収集したユーザ情報などは、ＨＤＤ上にファイルシステムとして記憶される。
【００５４】
図２Ｂは、携帯電話機６の概略構成を示すブロック図である。ここでは、携帯電話機６において、本発明を実施するための主要な部分のみを説明する。携帯電話機６の主要部３０において、アクセス情報取得部３１は、コンシェルジュサービスサーバ１５が、特定ユーザの利用履歴情報が蓄積されている少なくとも一つの第２のマルチメディア装置（ＴＶ１、ＰＣ２、ＨＤＤレコーダ３の数なくとも一つ）にアクセスするためのアクセス情報を、上記の第２のマルチメディア装置から取得する。また、アクセス情報蓄積部３２は、アクセス情報取得部３１が取得したアクセス情報を蓄積する。サービスリクエスト送信部３３は、特定ユーザの利用履歴情報が蓄積されていない第１のマルチメディア装置（例えば、ＴＶ７）に対して、アクセス情報を含むサービスリクエストを送信する。これらの各構成要素は、制御バス３４によって相互に接続されており、データの送受信が可能となっている。
【００５５】
図２Ｃは、第２のマルチメディア装置としての、ＴＶ１、ＰＣ２、ＨＤＤレコーダ３の概略構成を示すブロック図である。ここでは、これらの第２のマルチメディア装置において、本発明を実施するための主要な部分のみを説明する。第２のマルチメディア装置（ＴＶ１、ＰＣ２、ＨＤＤレコーダ３）の主要部４０において、記録部４１は、特定ユーザの利用履歴情報および外部装置からのアクセスを許可するためのアクセス情報を記録する。出力部４２は、携帯電話機６からの要求に応じて、アクセス情報を携帯電話機６へ出力する一方、コンシェルジュサービスサーバ１５から、アクセス情報に基づいた特定ユーザの利用履歴情報の取得要求があったときに、記録部４１に記録している特定ユーザの利用履歴情報をコンシェルジュサービスサーバ１５へ出力する。これらの各構成要素は、制御バス４３によって相互に接続されており、データの送受信が可能となっている。そして、第２のマルチメディア装置は、ホームネットワークに接続され、文字データ、画像データまたは音声データの少なくとも一つを含むマルチメディアデータを記録または再生する。
【００５６】
図２Ｄは、第１のマルチメディア装置としての、ＴＶ７の概略構成を示すブロック図である。ここでは、これらの第１のマルチメディア装置において、本発明を実施するための主要な部分のみを説明する。第１のマルチメディア装置（ＴＶ７）の主要部５０において、送受信部５１は、携帯電話機６からアクセス情報を含む情報取得リクエストを受信し、受信した情報取得リクエストに基づいて、コンシェルジュサービスサーバ１５へアクセス情報に含まれる情報を用いて、第２のマルチメディア装置が保有する情報を利用したサービスをリクエストする。一方、コンシェルジュサービスサーバ１５からサービスリクエストに対する応答情報を受信する。そして、第１のマルチメディア装置は、ユーザの選択に応じて、応答情報に基づいたサービスを提供する。
【００５７】
図３は、コンシェルジュサービスサーバ１５の主要な動作を示すフローチャートである。まず、サービスリクエスト受信部２１が、インターネットを介してサービスリクエストを受信すると（ステップＳ１）、アクセス情報抽出部２２は、ステップＳ１で受信したサービスリクエストからアクセス情報を抽出する（ステップＳ２）。本実施形態においては、アクセス情報は、コンシェルジュサービスへの登録情報（ユーザ名とパスワード）と共に、コンシェルジュサービスサーバ１５が、ユーザ情報を蓄積しているマルチメディア装置（デバイス）から、ユーザ情報を取得するための情報のリスト（装置の通信アドレス、情報提供を許可する情報種別、情報種別ごとの情報取得のためのパスワード）から成る。
【００５８】
次に、ステップＳ２において抽出されたアクセス情報を用いて、ユーザ情報取得部２４は、ユーザ情報取得のための情報のリストにある各装置に情報提供のリクエストを行ない、許可される情報を取得し（ステップＳ３）、取得に成功した情報を、ユーザデバイス情報蓄積部２３に蓄積する。ユーザデバイス情報蓄積部２３は、コンシェルジュサービスに登録されているユーザごとにステップＳ３によって取得したユーザ情報を蓄積（保存）する（ステップＳ４）。
【００５９】
本実施形態においては、ユーザ情報を永続的に蓄積し、情報の変更に伴って更新するものとする。ユーザ情報は、個人情報であるため、情報が外部に漏れないことに配慮し、暗号化して保存するものとする。この場合は、更新された情報の差分の取得だけで済むため、応答までの時間を短縮できるメリットがある。一方、ユーザからのサービスリクエストが終了する度に情報を削除することによって、ユーザ情報が外部で永続的に蓄積されることを避けるような実施形態も可能である。
【００６０】
次に、ステップＳ４において情報取得の失敗の場合も含め、すべての装置からの情報取得の処理が終了したら（ステップＳ５）、応答生成部２６は、最初に受け取ったリクエストに対する応答情報を作成する。応答情報の作成には、ユーザデバイス情報蓄積部２３に蓄積された情報に基づいて、ユーザの履歴や嗜好を考慮して応答を作成する（ステップＳ６）。
【００６１】
例えば、スポーツ放送の視聴のリクエストを受け取った場合、外部のＥＰＧ（Electronic Program Guide）（登録商標）サービスからスポーツ番組の情報を取得する。そして、ユーザデバイスから受け取った情報、例えば、ＴＶ１で視聴したスポーツ番組の種類からお勧めの番組に絞って、若しくはお勧め順にソートした番組リストを応答として作成する。具体的には、種目（野球、サッカー、テニス、ｅｔｃ）や番組の属性情報（国（日本、米国、ヨーロッパ）、大会名、チーム名、放送局、解説者／ゲスト）などの直接的な情報だけではなく、購入したＣＤやＤＶＤ、グッズ、書籍などの情報を抽出して、推測する。例えば、インターネットショッピングで、レプリカ・ユニフォームでチームＡの購入履歴があれば、チームＡの関連する番組を優先して提示するようなことである。
【００６２】
また、インターネットショッピングで、ワンピースを購入したいのでコンシェルジュサービスにリクエストすると、過去の服の購入履歴や、最近の靴や帽子の購入はもちろん、服飾に限らず購入したものの色や形などからユーザの好みの傾向を推測してお勧め商品を提示することができる。
【００６３】
図４は、本実施形態に係るサービス提供システムの動作を示すシーケンスチャートである。まず、図１で示したＴＶ１、ＰＣ２、ＨＤＤレコーダ３およびＨＤＤレコーダ４などの宅内装置１〜４は、携帯電話機６に対し、アクセス情報を提供する（ステップＳ４１）。このアクセス情報は、コンシェルジュサービスサーバ１５が、宅内装置１〜４の情報を取得するために、宅内装置１〜４と通信する際の通信アドレス、各装置で保持する情報の種類、およびそれにアクセスを許可するためのパスワードを含む。この際、宅内装置１〜４と携帯電話機６とは、赤外線などの近距離無線通信手段や無線ＬＡＮを用いて通信を行なう。これにより、携帯電話機６には、宅内装置１〜４のアクセス情報が保持される。
【００６４】
ユーザは、ステップＳ４１で取得したアクセス情報を保持する携帯電話機６を持ち歩く。そして、例えば、外出先の友人宅のＴＶ７において、宅内装置１〜４に蓄積されている情報を利用することができる。ユーザは、携帯電話機６にインストールされているコンシェルジュサービス利用アプリケーションを起動し、ＴＶ７に対してコンシェルジュサービス利用のためのリクエストを送信する（ステップＳ４２）。本実施形態では、赤外線通信手段を用いることで、ＴＶ７に対して、リクエストを確実に送信することができる。本実施形態では、ユーザは、携帯電話機６にインストールされているコンシェルジュサービス利用アプリケーションを用いてリクエストを入力する。例えば、「スポーツ放送を見たい」とか、「ワンピースが欲しい」といった自然言語の形態で入力すると、携帯電話機６内で自然言語解析して、リクエストを生成する。ここでは、「Ｒｅｑｕｅｓｔ１＝視聴（スポーツ）」、「ｒｅｑｕｅｓｔ２＝ショッピング（ワンピース）」のように、「アクション（属性）」のようなフォーマットを用いる。
【００６５】
図５Ａ、図５Ｂおよび図５Ｃは、携帯電話機６からＴＶ７へリクエストを送信する際の携帯電話機６の画面表示例を示す図である。携帯電話機６の画面には、選択されたデバイス情報のみがＴＶ７に送信されるリクエスト中に含まれる。携帯電話機６からＴＶ７へは赤外線通信によってリクエストデータが送信される。図５Ａには、リクエストデータの一例も記載されている。図５Ａに示すように、リクエストデータには、＜リクエスト種＞、＜ユーザＩＤ＞、＜デバイス情報＞などが含まれている。ＴＶ７は、このようなリクエストデータを携帯電話機６から取得する。
【００６６】
また、図５Ｂは、情報の種類を指定可能な画面表示例を示す図である。例えば、ＴＶ１では、「視聴チャネル」、「視聴時刻」、「視聴タイトル」が選択できるようになっている。また、ＰＣ２では、「購入商品」、「視聴時刻」、「視聴タイトル」、「ダウンロード履歴」が選択できるようになっている。また、図５Ｃは、提供する情報の期間を指定し、または変更可能な画面表示例を示す図である。情報の期間として、例えば、２００８年１月１日から２００８年７月１１日まで、といった情報の期間を指定することができる。また、情報の種類として、例えば、ＴＶ１では、「視聴チャネル」、「視聴時刻」、「視聴タイトル」が選択できるようになっている。また、ＰＣ２では、「購入商品」、「視聴時刻」、「視聴タイトル」、「ダウンロード履歴」が選択できるようになっている。
【００６７】
但し、あくまでもこれらは一例であり、ユーザ入力をコンシェルジュサービスのリクエストを受け付けるフォーマットに変換するものであればよい。ＸＭＬのようなタグによるデータフォーマットを決めることで、コンシェルジュサービスごとに使い勝手や拡張性を持ってリクエストを規定することができる。なお、本実施形態では、ステップＳ４１、ステップＳ４２ともにファイル送信を行なう。
【００６８】
次に、ＴＶ７は、コンシェルジュサービスサーバ１５に対して、リクエストを送信する（ステップＳ４３）。この場合、ＨＴＴＰプロトコルを用いたリクエストを実施する。図６Ａ、図６Ｂおよび図６Ｃは、ＴＶ７がコンシェルジュサービスサーバ１５に対してリクエストを送信する際のフォーマット形式の一例を示す図である。ここでは、ＸＭＬファイルを示している。図６Ａに示すように、リクエストデータには、＜アクセス情報＞、＜ユーザＩＤ＞、＜デバイス情報＞などが含まれている。なお、図６Ａデバイス内で情報の種類までは制御しない。
【００６９】
図６Ｂでは、デバイス毎に提供可能な情報をリストすることもできる。情報ごとにパスワードをつけることによって、アクセス制御が可能となる。なお、図６Ｂでは、情報の種類を記述しているが、これはあくまでも一例であって、これに限定されるものではない。例えば、次の記述のように、期間で提供する情報を記述することも可能である。
<情報>
<種類>視聴チャンネル</種類>
<期間>20080101 -20080711</期間> 
<パスワード>  654 </パスワード> 
</情報>
2008年1/1〜7/11までに蓄積された視聴チャンネル情報
【００７０】
図６Ｃでは、デバイスが提供する情報を記録する期間を指定する。例えば、２００８年１月１日から２００８年７月１１日までの情報を記録しているので、この情報を提供可能であるという意味である。なお、セキュリティを配慮したＨＴＴＰＳ（Hyper Text Transfer Protocol over SSL）を用いてもよい。また、より好ましくは、ＳＩＰ（Session Initiation Protocol）を用いてセッションＴＶ７とコンシェルジュサービスサーバ１５との間でセッションを構築し、そのセッション内でＨＴＴＰプロトコルを用いて通信を行なってもよい。コンシェルジュサービスサーバ１５は、図２Ａ、図３を用いて説明したように、アクセス情報を用いて各宅内装置１〜４へ情報取得のリクエストを行ない（ステップＳ４４）、その結果として各宅内装置１〜４から情報を取得する。この場合も、本実施形態では、ＨＴＴＰプロトコルを用いたリクエストにより実施し、ＣＧＩ（Common Gateway Interface）の仕組みで各機器がＤＢ（Database）内に蓄積する各種情報をコンシェルジュサービスにＨＴＴＰリクエストに対する応答として応答する。
【００７１】
コンシェルジュサービスサーバ１５は、サービスのリクエスト元であるＴＶ７に対して、リクエストがあったサービスを提供可能なサーバ（この例ではＴＶ向けビデオサービス１６）を選定し、そのサーバから必要な情報の取得のリクエストを行なう（ステップＳ４６）。この場合、コンシェルジュサービスに対応したサービスは、複数あることが考えられ、ＴＶ７からのリクエストに応じて、推薦できるサービスを選択してサービスに関する情報を取得する。コンシェルジュサービスサーバ１５は、ＴＶ向けビデオサービス１６から必要な情報を取得すると（ステップＳ４７）、ステップＳ４６のサービスリクエストに対する応答情報を作成する。この応答情報は、リクエストに対してお勧めのコンテンツや商品の情報であり、この応答情報をＴＶ７に対して送信する（ステップＳ４８）。
【００７２】
ＴＶ７は、ユーザに対してステップＳ４８で取得した情報を提示する。これにより、ユーザの嗜好に応じたサービスの提案が可能になる。ステップＳ４８では、サービス（商品やコンテンツなど）の名称や、サービスを取得したり、利用したりするためのアドレスが含まれたファイルが送信される。ユーザは、ＴＶ７を介して、サービスを選択し、ＴＶ７は、選択されたサービスをＴＶ向けビデオサービス１６に対してリクエストする（ステップＳ４９）。ＴＶ向けビデオサービス１６は、ＴＶ７からのリクエストに応答し、コンテンツや情報を送信する（ステップＳ５０）。
【００７３】
次に、携帯電話機６は、ＴＶ７でのコンシェルジュサービス利用後に、ユーザが操作することによって各宅内装置１〜４に情報提供を許すデータの種類や範囲、パスワード変更要求を送信し（ステップＳ５１）、各宅内装置１〜４は、その結果を応答として返す（ステップＳ５２）。これにより、コンシェルジュサービスを利用するたびに、また、ユーザが変更したいタイミングで、各宅内装置１〜４からコンシェルジュサービスサーバ１５に提供する情報をコントロールすることが可能になる。その場合は、各宅内装置１〜４から携帯電話機６に送信するアクセス情報の中に、設定変更用パスワードを含む。設定変更用パスワードは、各宅内装置１〜４が生成する機能を持つ場合に用いられる。これにより、パスワードを持つ携帯電話機６からのみ設定変更することが可能になる。
【００７４】
上記したように、図４のシーケンスチャートは、１回のリクエストのみで利用しているが、他の実施形態として、ＴＶ７とコンシェルジュサービスサーバ１５の間でセッション管理することによって、１回の利用だけでなく、一連の複数のリクエストを単位としてコンシェルジュサービスの利用を管理することも可能であり、セッション終了時に、各宅内装置１〜４の設定（情報提供の範囲やパスワード）を変更するような実施形態も実現可能である。携帯電話機６から各宅内装置１〜４へのリクエストは、インターネットを利用してセキュアなＨＴＴＰＳプロトコルを用いるのが好適である。また、他に設定変更用パスワードを暗号鍵として利用することで、変更するアクセス情報を暗号化したデータを添付したメールによるリクエストも可能である。その場合は、各宅内装置１〜４からメールサーバに定期的にポーリングし、予め規定しておいたリクエストメール用のサブジェクトに一致するメールを取得して変更する。
【００７５】
図７は、リクエストを行なう度にパスワードを更新する場合の動作を示すシーケンスチャートである。ここでは、ＴＶ１を介した動作例を説明するが、他の機器も同様に動作する。まず、携帯電話機６が、友人宅ｂにあるＴＶ７にアクセス情報を送信する（ステップＳ７１）。ＴＶ７は、コンシェルジュサービスサーバ１５に対してアクセス情報を送信する（ステップＳ７２）。コンシェルジュサービスサーバ１５は、ＴＶ１に対して情報を取得するリクエストを行なう（ステップＳ７３）。ＴＶ１は、コンシェルジュサービスサーバ１５からのリクエストに応答して、情報をコンシェルジュサービスサーバ１５に対して送信する（ステップＳ７４）。ここで、ＴＶ１は、更新パスワードを生成し（ステップＳ７５）、アクセス設定のためのデータベースのパスワードを変更する。そして、更新した「accessinfo.xml」を暗号化して携帯電話機６に対して電子メールで送信する（ステップＳ７６）。なお、ここでは、暗号鍵のパスワードは、事前にＴＶ１と携帯電話機６とに同じものを設定して保持しているものとする。これにより、以後、新しいパスワードが無い限りＴＶ１は情報を提供しない。一方、携帯電話機６は、受信した電子メールに添付されたデータに基づいて、ＴＶ１と共有していたアクセス情報更新用パスワードを用いて、新しい「accessinfo.xml」を復号し、保持している「accessinfo.xml」と置き換える（ステップＳ７５）。
【００７６】
なお、アクセス情報更新のパスワードと暗号化のパスワードとを別にすることで、セキュリティを２重にしても良い。また、パスワードは、機器（デバイス）毎、情報毎に詳細に分けることも可能である。
【００７７】
図８は、サービス利用装置としてのＴＶ７における画面遷移の例を示す図である。この例では、ユーザが、携帯電話機６のコンシェルジュサービスのリストの中から「映画推薦サービス」を選択すると、携帯電話機６からＴＶ７に対してリクエスト信号が送信される。ＴＶ７は、コンシェルジュサービスサーバ１５から映画推薦サービスの選択肢画面を受信し、受信した選択肢画面を表示している（Ｄ５０）。ユーザは、携帯電話機６のコンシェルジュサービス利用アプリケーションを使って、ＴＶのリモコン操作のようにし、ジャンルとして「アクション」を選択している（Ｄ５１）。
【００７８】
この選択後、コンシェルジュサービスサーバ１５は、ユーザ情報を利用するかどうかの確認をＴＶ７の画面を使って行なう（Ｄ５２）。ユーザが「Ｙｅｓ」を選択すると、「アクセス情報を送信して下さい」という画面に遷移する（Ｄ５３）。Ｄ５３の画面が表示されている状態で、携帯電話機６のコンシェルジュサービス利用アプリケーションから「アクセス情報送信」の操作をすることで、自宅の各宅内装置１〜４へアクセスするためのアクセス情報がＴＶ７に赤外線送信される。コンシェルジュサービスサーバ１５のアカウント情報（ユーザ名とパスワード）が、赤外線でＴＶ７に送信され、ＴＶ７からは「ｒｅｑｕｅｓｔ（視聴（アクション映画））」を意味するリクエストが、コンシェルジュサービスサーバ１５に送信される。その際にアクセス情報が付加されて送信されるが、アクセス情報は、ユーザがコンシェルジュサービスに登録した際のパスワードをもとに暗号化する。そのため、ＴＶ７は、携帯電話機６から受け取ったコンシェルジュサービスのユーザ名を付けてコンシェルジュサービスサーバに送る必要がある。
【００７９】
ＴＶ７は、コンシェルジュサービスから各宅内装置１〜４へのアクセス情報が受け取られると、Ｄ５４のような画面に遷移し、お勧めを探すことをユーザに通知する。Ｄ５５では、お勧め情報とともに、その根拠とした情報をユーザに提示している。ユーザが、Ｙｅｓを選択すると、Ｄ５６のように、お勧めされたコンテンツの視聴画面に遷移することになる。
【００８０】
以上説明したように、本実施形態によれば、コンシェルジュサービスサーバ１５が、アクセス情報を用いて、各宅内装置１〜４にアクセスし、特定ユーザの利用履歴情報を取得し、取得した特定ユーザの利用履歴情報およびサービスリクエストに関連する情報を取得し、サービスリクエストに対する応答情報を生成し、生成された応答情報をＴＶ７に送信するので、ＴＶ７において、ユーザの利用履歴情報に基づいたサービスを推奨することが可能となる。これにより、例えば、ユーザの自宅にあるＴＶ、ＰＣまたはＨＤＤレコーダなどで蓄積された利用履歴を用いて、ユーザの宅外にあるＴＶ等で、自宅と同じように利便性の高いサービスを提供することが可能となる。
【図面の簡単な説明】
【００８１】
【図１】本実施形態に係るサービス提供システムの概略構成を示す図である。
【図２Ａ】コンシェルジュサービスサーバ１５の概略構成を示す図である。
【図２Ｂ】携帯電話機６の概略構成を示すブロック図である。
【図２Ｃ】第２のマルチメディア装置としての、ＴＶ１、ＰＣ２、ＨＤＤレコーダ３の概略構成を示すブロック図である。
【図２Ｄ】第１のマルチメディア装置としての、ＴＶ７の概略構成を示すブロック図である。
【図３】コンシェルジュサービスサーバ１５の主要な動作を示すフローチャートである。
【図４】本実施形態に係るサービス提供システムの動作を示すシーケンスチャートである。
【図５Ａ】携帯電話機６からＴＶ７へリクエストを送信する際の携帯電話機６の画面表示例を示す図である。
【図５Ｂ】携帯電話機６からＴＶ７へリクエストを送信する際の携帯電話機６の画面表示例を示す図である。
【図５Ｃ】携帯電話機６からＴＶ７へリクエストを送信する際の携帯電話機６の画面表示例を示す図である。
【図６Ａ】ＴＶ７がコンシェルジュサービスサーバ１５に対してリクエストを送信する際のフォーマット形式の一例を示す図である。
【図６Ｂ】ＴＶ７がコンシェルジュサービスサーバ１５に対してリクエストを送信する際のフォーマット形式の一例を示す図である。
【図６Ｃ】ＴＶ７がコンシェルジュサービスサーバ１５に対してリクエストを送信する際のフォーマット形式の一例を示す図である。
【図７】リクエストを行なう度にパスワードを更新する場合の動作を示すシーケンスチャートである。
【図８】サービス利用装置としてのＴＶ７における画面遷移の例を示す図である。
【符号の説明】
【００８２】
１  ＴＶ
２  ＰＣ
３  ＨＤＤレコーダ
４  ＨＤＤレコーダ
５  ルータ
６  携帯電話機
７  ＴＶ
１３  ＴＶ向けビデオサービス
１４  ＴＶ向けビデオサービス
１５  コンシェルジュサービスサーバ
１６  ＴＶ向けビデオサービス
２１  サービスリクエスト受信部
２２  アクセス情報抽出部
２３  ユーザデバイス情報蓄積部
２４  ユーザ情報取得部
２５  ユーザ情報蓄積部
２６  応答生成部
２７  サービス応答送信部
３０  携帯電話機の主要部
３１  アクセス情報取得部
３２  アクセス情報蓄積部
３３  サービスリクエスト送信部
３４  制御バス
４０  ＴＶ１等の主要部
４１  記録部
４２  出力部
４３  制御バス
５０  ＴＶ７の主要部
５１  送受信部
【図１】
2010086289.tif 000003
【図２Ａ】
2010086289.tif 000004
【図２Ｂ】
2010086289.tif 000005
【図２Ｃ】
2010086289.tif 000006
【図２Ｄ】
2010086289.tif 000007
【図３】
2010086289.tif 000008
【図４】
2010086289.tif 000009
【図５Ａ】
2010086289.tif 000010
【図５Ｂ】
2010086289.tif 000011
【図５Ｃ】
2010086289.tif 000012
【図６Ａ】
2010086289.tif 000013
【図６Ｂ】
2010086289.tif 000014
【図６Ｃ】
2010086289.tif 000015
【図７】
2010086289.tif 000016
【図８】
2010086289.tif 000017